(57)【要約】【課題】大型化することなく、且つ、低音域と高音域とをバランスよく響かせ、更に、臨場感ある音の広がりを出すことができるスピーカシステムを提供すること。【解決手段】高音域乃至低音域の音を発生させるスピーカユニット２１を有する筒状の内側エンクロージャ２０ａと、内側エンクロージャを覆うように配置される筒状の外側エンクロージャ１０と、を有し、スピーカユニットは、内側エンクロージャの長手方向における一方の端部側に配置され、内側エンクロージャの長手方向の他方の端部側には、スピーカユニットの音を外側エンクロージャ側に導出する音導出開口部２２が形成され、外側エンクロージャの長手方向のスピーカユニット側の端部には、音導出開口部から受容した音を外側エンクロージャから放出するための音放出開口部３０が形成されているスピーカシステム１。【選択図】図３
2008167045.tif 000002
【特許請求の範囲】
【請求項１】
高音域乃至低音域の音を発生させるスピーカユニットを有する筒状の内側エンクロージャと、
前記内側エンクロージャを覆うように配置される筒状の外側エンクロージャと、を有し、
前記スピーカユニットは、前記内側エンクロージャの長手方向における一方の端部側に配置され、前記内側エンクロージャの前記長手方向の他方の端部側には、前記スピーカユニットの音を前記外側エンクロージャ側に導出する音導出開口部が形成され、
前記外側エンクロージャの長手方向の前記スピーカユニット側の端部には、前記音導出開口部から受容した音を前記外側エンクロージャから放出するための音放出開口部が形成されていることを特徴とするスピーカシステム。
【請求項２】
前記内側エンクロージャが円筒状で成ると共に、前記外側エンクロージャとが前記内側エンクロージャと相似形で形成され、
前記内側エンクロージャ及び／又は前記外側エンクロージャの長手方向の長さが、それぞれ、前記内側エンクロージャ及び／又は前記外側エンクロージャの短手方向の長さの２倍以上に形成されていることを特徴とする請求項１に記載のスピーカシステム。
【請求項３】
前記外側エンクロージャには、低音域の音圧を高める低音域用ダクトが形成されていることを特徴とする請求項１又は請求項２に記載のスピーカシステム。
【請求項４】
前記円筒状の内側エンクロージャ内の長手方向に両端部に配置された複数の前記スピーカユニットの間に仕切り部が形成されていることを特徴とする請求項１乃至請求項３のいずれかに記載のスピーカシステム。
【発明の詳細な説明】
【技術分野】
【０００１】
本発明は、音響機器等に用いるスピーカシステムに関するものである。
【背景技術】
【０００２】
従来より、スピーカシステムが発する低音域の音圧を高める方式として、所謂、ダブルバスレフ方式が用いられている（例えば、特許文献１）。このようなダブルバスレフ方式は、特許文献１の図１に示すように、スピーカユニット１が格納されている第１キャビティ５とは別に、低音域の音圧を高めるための第２キャビティ６が形成されている。
このため、スピーカユニット１から発する低音域の音圧は、第２キャビティ６内で音圧が高められ、低音域が良く響くスピーカシステムとなっている。
【特許文献１】特開２００１―３３３４７６号公報（図１等）
【発明の開示】
【発明が解決しようとする課題】
【０００３】
しかし、このようなダブルバスレフ方式のスピーカシステムでは、第２キャビティ６内
で低音域の音圧をより高めようとすると、どうしても大型化し、特許文献１に示すように第２キャビティ６が第１キャビティ５より大型化し、全体が大型化してしまうという問題があった。
また、特許文献１のようなスピーカシステムでは、低音域の音圧のみが高められる構成となっているため、低音域をより響かせようとすると、高音域の音圧とのバランスが崩れ、高音域のキレが悪くなったり、高音域が響き難くなったりするという問題もあった。
ところで、スピーカシステムの発する音は、実際の生演奏の音に近づくのが理想である。実際の演奏ではステージ空間等における反響音等があり、このような反響音が楽器の発する音に加わり、全体として、程良い音の広がりである臨場感を聴取者が感じるようになっている。
そこで、従来は、例えば、３つのスピーカユニットを用い、それぞれが高音域から低音域を分担する構成とし、これらのスピーカユニットをそれぞれ別個に動作等させ、電気的に音のズレを生じさせ、臨場感を出そうとしているが、これではどうしても電子的な音になり、生音とは大きく異なり、臨場感ある音の広がりを出すことができないという問題もあった。
【０００４】
そこで、本発明は、大型化することなく、且つ、低音域と高音域とをバランスよく響かせ、更に、臨場感ある音の広がりを出すことができるスピーカシステムを提供することを目的とする。
【課題を解決するための手段】
【０００５】
前記課題は、請求項１の発明によれば、高音域乃至低音域の音を発生させるスピーカユニットを有する筒状の内側エンクロージャと、  前記内側エンクロージャを覆うように配置される筒状の外側エンクロージャと、を有し、前記スピーカユニットは、前記内側エンクロージャの長手方向における一方の端部側に配置され、前記内側エンクロージャの前記長手方向の他方の端部側には、前記スピーカユニットの音を前記外側エンクロージャ側に導出する音導出開口部が形成され、前記外側エンクロージャの長手方向の前記スピーカユニット側の端部には、前記音導出開口部から受容した音を前記外側エンクロージャから放出するための音放出開口部が形成されていることを特徴とするスピーカシステムにより達成される。
【０００６】
前記構成によれば、スピーカユニットから発せられる低音域の音圧は、内側エンクロージャ及び外側エンクロージャで共に高められる。特に、内側エンクロージャでは、長手方向の一方の端部側にスピーカユニットが配置され、長手方向の他方の端部側に音導出開口部が形成されているので、スピーカユニットから発せられた音は、比較的長く形成されている内側エンクロージャの内部を伝播する。このため、スピーカユニットが発する低音部の音圧が高められる構成となっている。
また、内側エンクロージャで、その音圧を高められた低音部は、外側エンクロージャと内側エンクロージャとの間に形成される空間を、外側エンクロージャの長手方向に沿って伝播するため、外側エンクロージャと内側エンクロージャとの間の空間においても、さらに、その音圧が高められる。
したがって、従来のように、低音域の音圧を高めるために、大きな第２キャビティ等を形成する必要がなく、スピーカシステム全体を小型化することができる。
【０００７】
また、スピーカユニットから発せられた音は、上述のように、内側エンクロージャの内部空間をその長手方向に沿って、伝播し、その後、外側エンクロージャと内側エンクロージャとの間の空間を長手方向に沿って伝播する構成となっているので、その間に反響音も起こすことができる構成ともなっている。
【０００８】
また、スピーカユニットから発せられた音が内側エンクロージャ内部を伝播するときは、その振動は内部エンクロージャを振動させるが、この内側のエンクロージャと外側のエンクロージャの間には空間が形成され、空気層が存在する等ため、外側エンクロージャは振動が小さい。このため、音が外側エンクロージャに吸収されることなく、外部に放出されるので音の拡散が効率的に行われる。
この音の拡散を有効に行うことで、上述の反響音と共に、スピーカユニットから発せられた音に臨場感が出る構成となっている。
特に、従来のスピーカでは、音の拡散を効率的に行わせるためエンクロージャを振動し難い材質で形成していた。この点、本発明では、エンクロージャを２重にしたので、音の拡散を効率的に行うことができ、この結果、従来のスピーカシステムより、ナチュラルで、実際の演奏等の空間を再現するような音色に近づけることができるスピーカシステムとすることができた。
また、従来のように、１個のエンクロージャでは、その内部で音が相殺され、音の拡散という効果が薄れることになるが、２重にエンクロージャを配したため、音が相殺されず、効率的に音を拡散させることができる。
【０００９】
好ましくは、請求項２の発明によれば、請求項１の構成において、前記内側エンクロージャが円筒状で成ると共に、前記外側エンクロージャとが前記内側エンクロージャと相似形で形成され、前記内側エンクロージャ及び／又は前記外側エンクロージャの長手方向の長さが、それぞれ、前記内側エンクロージャ及び／又は前記外側エンクロージャの短手方向の長さの２倍以上に形成されていることを特徴とするスピーカシステムである。
【００１０】
前記構成によれば、内側エンクロージャ及び／又は外側エンクロージャの長手方向の長さが、それぞれ、内側エンクロージャ及び／又は外側エンクロージャの短手方向の長さの２倍以上に形成されているので、スピーカユニットから発せられた音が内側エンクロージャ及び外側エンクロージャ内を長く伝播する。このため、低音域を高めることができ、臨場感に富んだ音とすることができる。
【００１１】
好ましくは、請求項３の発明によれば、請求項１又は請求項２の構成において、前記外側エンクロージャには、低音域の音圧を高める低音域用ダクトが形成されていることを特徴とするスピーカシステムである。
【００１２】
前記構成によれば、低音域用ダクトによって、低音域の音圧がより高められることになる。
【００１３】
好ましくは、請求項４の発明によれば、請求項１乃至請求項３のいずれかの構成において、前記円筒状の内側エンクロージャ内の長手方向に両端部に配置された複数の前記スピーカユニットの間に仕切り部が形成されていることを特徴とするスピーカシステムである。
【００１４】
前記構成によれば、内側エンクロージャの両端部に形成されているそれぞれのスピーカユニットから異なる方向に発せられるので、音が広範囲に広がり、実際の演奏と同様のリアルな音場が形成される。
また、仕切り部があるため、それぞれのスピーカユニットから発せられる音は、内側エンクロージャや外側エンクロージャの内部に止まらず、外部に押し出される、このため、スピーカシステムから発せられる音は、聴取者にとって、音がスピーカシステムから飛び出すように聞こえるので、リアルな音場を形成することができる。
【発明の効果】
【００１５】
本発明は、大型化することなく、且つ、低音域と高音域とをバランスよく響かせ、更に、臨場感ある音の広がりを出すことができるスピーカシステムを提供できるという利点がある。
【発明を実施するための最良の形態】
【００１６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は、本発明の実施の形態にかかるスピーカシステム１を示す概略斜視図である。図２は、図１のスピーカシステム１の部分概略断面図であり、図３も図１のスピーカシステム１の概略断面図である。
図１に示すように、スピーカシステム１は、その外側に円筒状の外部エンクロージャ１０を有している。この外部エンクロージャ１０は、例えば、紙筒等から成っている。
なお、本実施の形態では、外部エンクロージャ１０は、紙筒で成っているが、本発明では、これに限らず、木筒や陶器製の筒でもよい。
この外部エンクロージャ１０は、図１及び図３に示すように、図において横方向が長い円筒状となっており、その両端部、図において左端部及び右端部には、外部バッフル板１１が形成されている。
この外部バッフル板１１には、後述するスピーカユニット２１ａ等及びダクト３０ａ等から外部に音を発するための開口が形成され、具体的には、スピーカユニット２１ａ等に対応したスピーカユニット音開口１１ａ及びダクト３０ａ等に対応したダクト音開口１１ｂが、例えば、円形や楕円形等で形成されている。
【００１８】
また、この外部エンクロージャ１０の内側の両端部には、図２及び図３に示すように、それぞれ円筒状の内部エンクロージャ２０ａ、２０ｂが配置されている。そして、この両側の２つの内部エンクロージャ２０ａ、２０ｂの間には、図３に示すように、外部エンクロージャ１０の内部空間を２つに仕切るようにセンターパネル３１が形成されている。
すなわち、図３に示すように、外部エンクロージャ１０の内部空間は、センターパネル３１によって、図における左側と右側に分断させ、外部エンクロージャ１０は、２つの空間を有し、それぞれの空間に、内部エンクロージャ２０ａ、２０ｂが配置されている。
なお、内部エンクロージャ２０ａ等は、上述の外部エンクロージャ１０と同様の材質から形成されている。
【００１９】
また、内部エンクロージャ２０ａ等の端部（図３に左側の内部エンクロージャ２０ａでは左端部、右側のエンクロージャ２０ｂでは右端部）には、内部バッフル板２３を介してスピーカユニット２１が配置され、スピーカユニット２１は、外部エンクロージャ１０のスピーカユニット音開口１１ａに臨むように配置されている。
また、このように配置されたスピーカユニット２１とスピーカユニット音開口１１ａとは、図３等に示すように僅かに離間されて配置され、隙間が形成されている。
このスピーカユニット２１は、高音域乃至低音域の音を発生させる例えば、円錐（コーン）形の振動板を動かして音を出すコーン型のスピーカユニットであるが、これに限らず、ドーム型（ドーム形の振動板を動かして音を出すスピーカユニット）、ホーン型（ドーム型やリング型の振動板（ダイヤフラム）から出た音をフェイジングプラグやイコライザーで絞ってからホーン（ラッパ）に接続したスピーカユニット）若しくは、リボン型（リボン形の薄い振動板を持ったスピーカユニット）であってもよい。
【００２０】
また、スピーカユニット２１は、図２及び図３に示すように、スピーカユニットクッション材２４及び心棒２５を介してインナーパネル２６と接続されている。すなわち、スピーカユニット２１は、内部エンクロージャ２０ａ内において、内部バッフル板２３及びインナーパネル２６によって保持されている。
このインナーパネル２６は、内部エンクロージャ２０ａ等の断面形状とほぼ同様の円盤状を成しているが、同時に、貫通孔であるインナーパネル孔２８を、複数、例えば６個有している。このため、スピーカユニット２１から発せられる音のうち、裏面側（図３等の外部エンクロージャ１０の内部側）に伝わる音が、このインナーパネル２６で塞がれず、さらに内側に向かって伝播するような構成となっている。
【００２１】
また、この内部エンクロージャ２０ａ等のうち、スピーカユニット２１が配置された端部と反対方向の端部（図３の左側の内側エンクロージャ２０ａの場合は右端部、右側の内側エンクロージャ２０ｂの場合は左端部）には、スピーカユニット２１の裏面側から発せられた音を内部エンクロージャ２０ａ等から導出する内部エンクロージャ開口２２を有している。
そして、内部エンクロージャ２０ａ等は、図２及び図３に示すように、センターパネル３１に内部エンクロージャクッション材２７を介して配置されている。
【００２２】
一方、このような内部エンクロージャ２０ａ等を覆うようにして配置される外部エンクロージャ１０内には、図２及び図３に示すように、内部エンクロージャ２０ａ等と外部エンクロージャ１０との間に空間が形成され、その空間内にダクト３０ａ等が配置されている。
ダクト３０ａ等は、スピーカユニット２１の背面側の音のうち、特に低音域の音圧を高めて、図２のダクト音開口１１ｂから外部へ音を放出する機能を発揮する。
【００２３】
このように、本実施の形態の内部エンクロージャ２０ａ等は、内側エンクロージャの一例であり、外部エンクロージャ１０は、外側エンクロージャの一例である。そして、外部エンクロージャ１０は、内部エンクロージャ２０ａ等を覆うように配置される構成となっている。
また、スピーカユニット２１は、内部エンクロージャ２０ａ等の長手方向における一方端部側に配置され、内部エンクロージャ２０ａ等の長手方向の他方の端部側には、スピーカユニット２１の音を外部エンクロージャ１０側に導出する内部エンクロージャ開口２２
が形成されている。したがって、この内部エンクロージャ開口２２は、音導出開口部の一例である。
【００２４】
また、図２及び図３に示すように、外部エンクロージャ１０の長手方向のスピーカユニット２１側の端部（外部エンクロージャ１０の両端部）には、ダクト音開口１１ｂがそれぞれ形成されている。このダクト音開口１１ｂからスピーカシステム１の外へ放出される音は、図２のスピーカユニット２１の音が、内部エンクロージャ２０ａ等の長手方向を伝播し、内部エンクロージャ開口２２を介して、外部エンクロージャ１０内に達し、さらに、外部エンクロージャ１０内の長手方向を伝播し、音圧が高められた音である。したがって、ダクト音開口１１ｂは、音放出開口部の一例なっている。
また、ダクト３０ａ等は、スピーカユニット２１から発せられた音のうち、低音域の音圧を高めるための、低音域ダクトの一例となっている。
また、図３に示すように、本実施の形態のスピーカシステム１では、スピーカユニット２１をそれぞれ有する２つの内部エンクロージャ２０ａ、２０ｂが外部エンクロージャ１０内部に形成されたセンターパネル３１によって仕切られている。したがって、センターパネル３１は、仕切り部の一例となっている。
【００２５】
なお、本実施の形態では、図３に示す、外部エンクロージャ１０のうち、センターパネル３１で仕切られた一方の空間の長手方向の長さである矢印Ｘの長さが、少なくとも、外部エンクロージャ１０の端部側の直径である矢印Ｙの長さの２倍以上に形成されている。
【００２６】
本実施の形態では、以上のように構成されているが、その作用等について以下説明する。
図３に示すように、スピーカシステム１は、その長手方向の両端部側にスピーカユニット２１をそれぞれ配置しているため、２つのスピーカユニット２１から表面側（図のスピーカシステム１の外部側）に発せられる音は、それぞれ正反対方向に放出される。したがって、これらのスピーカユニット２１から発せられた音は、広がりを持って拡散されることになる。
通常、このようにスピーカユニット２１を配置した場合は、そのスピーカユニット２１の背面側から発せられた音が、相互に干渉し合ってしまい、スピーカシステムの効率を低下させるが、本実施の形態では、センターパネル３１を配置しているため、そのような相互の音の干渉が生じるのを未然に防止している。
また、特に、本実施の形態のように、２つのスピーカユニット２１の表面側が、それぞれ正反対の方向を向き、正反対の方向に音を発すると、音が広範囲に広がり、実際の演奏と同様のリアルな音場が形成される。
【００２７】
また、本実施の形態では、スピーカユニット２１の背面側から発せられる音について、特に画期的な構成を採用している。すなわち、図２の矢印で示すように、スピーカユニット２１の背面側の音は、インナーパネル２６のインナーパネル孔２８を貫通して、外部エンクロージャ１０の奥側へ伝播し、内部エンクロージャ２０ａ等の端部に配置されている内部エンクロージャ開口２２から、外部エンクロージャ１０の内部空間へと導出される。
そして、外部エンクロージャ１０の内部空間へと導出された音は、外部エンクロージャ１０の長手方向に沿って、図２のダクト音開口１１ｂへ向かって伝播する。
このとき、内部エンクロージャ開口２２から導出された音は、センターパネル３１によって、ダクト音開口１１ｂ側へ向かうように案内される。
そして、ダクト音開口１１ｂ側へ伝播する音は、ダクト３０ａ等を介した後、ダクト音開口１１ｂから放出される。
このように、スピーカユニット２１の背面側の音は、内部エンクロージャ２０ａ等の長手方向に沿って伝播した後、あたかも往復するかのように、外部エンクロージャ１０の長手方向に沿って伝播し、長い距離を伝播することとなり、この間に低音域の音圧が高められることになる。
したがって、従来のダブルバスレフ方式のように、第２キャビティ等として大きな低音域の音圧を高める領域を大きく形成することなく、低音域の音圧を効果的に高めることができる。すなわち、本実施の形態では、スピーカシステム１の全体の大きさを大型化することなく、低音域の音圧を高めることができる。
【００２８】
また、本実施の形態では、スピーカユニット２１の背面側の音が長手方向に沿って内部エンクロージャ２０ａ等及び外部エンクロージャ１０の内部を伝播するため、その間に反響音が大きく生成される。
さらに、スピーカユニット２１の背面側の音が内部エンクロージャ２０ａ等の内部を伝播しているときは、その音の振動は、内部エンクロージャ２０ａ等を振動させるが、外部エンクロージャ１０は振動させ難い構成となっている。これは、内部エンクロージャ２０ａ等と、外部エンクロージャ１０との間に空気層が存在するからである。
このように、本実施の形態では、スピーカユニット２１から発せられた音が、外部エンクロージャ１０に吸収され難い構成となっているため、内部エンクロージャ２０ａ等で、音圧が高められた音は、外部エンクロージャ１０に吸収されにくい状態で、スピーカシステム１の外部に放出される、したがって、音の拡散が効率的に行われる。
以上の効率的な音の拡散と上述の大きな反響音、そして高められた低音等により、スピーカシステム１の音には、実際の演奏現場に存在しているような臨場感が生まれることになる。
【００２９】
特に、従来のスピーカシステムでは、音の拡散を効率的におこなわせるため、エンクロージャを振動し難い重くて硬い材質で形成していたため、スピーカシステムから発せられる音に、自然な柔らかさや響きを表現し難いという問題があった。
この点、本実施の形態では、エンクロージャを２重にし、外側の外部エンクロージャ１０が内部エンクロージャ２０ａ等を覆うように配置されているため、エンクロージャに高い材質を用いることなく、音の拡散を効率的に行うことができ、スピーカシステム１から発せられる音に、自然な柔らかさや響きを表現することができる構成となっている。
また、エンクロージャが１個の従来のスピーカシステムでは、その内部で音が相殺され音の拡散という効果が薄れることになるが、本実施の形態では、エンクロージャを２重にし、外側の外部エンクロージャ１０が内部エンクロージャ２０ａ等を覆うように配置されているため、音が相殺されず、効率的に音を拡散することができる。
【００３０】
ところで、本実施の形態では、図２等に示すように、ダクト３０ａ等を有しているため、このダクト２０ａ等により低音域の音圧がより高められる構成となっている。
また、本実施の形態では、図３に示すように、外部エンクロージャ１０の中央部にセンターパネル３１が形成されているので、その左右側に配置されている内部エンクロージャ２０ａ、２０ｂからの音が内部に止まらず、外部に押し出される。このため、スピーカシステム１から発せられる音は、聴取者にとって、音がスピーカから飛び出すように聞こえ、リアルな音場を形成することができる。
【００３１】
（第２の実施の形態）
図４は、本発明の第２の実施の形態に係るスピーカシステム２を示す概略図であり、図５は、スピーカシステム２の概略断面図である。
本実施の形態に係るスピーカシステム２の多くの構成は、上述の第１の実施の形態に係るスピーカシステム１の構成と同様であるため、同様の構成は同一符号等として説明を省略し、以下、相違点を中心に説明する。
本実施の形態のスピーカシステム２では、第１の実施の形態のスピーカシステム１と異なり、内部エンクロージャ２００ａ等のスピーカユニット２１が、外部エンクロージャ１００の外部エンクロージャ１００の外部バッフル板１１１に取り付けられている点が異な  る。このため、簡易な構成でスピーカシステム２を構成することができる。
【００３２】
（第３の実施の形態）
図６は、本発明の第３の実施の形態に係るスピーカシステム３を示す概略図であり、図７は、スピーカシステム３の概略断面図である。また、図８は、図７の内部エンクロージャ開口５２２を示す概略部分端面図である。
本実施の形態に係るスピーカシステム３の多くの構成は、上述の第１の実施の形態に係るスピーカシステム１の構成と同様であるため、同様の構成は同一符号等として説明を省略し、以下、相違点を中心に説明する。
本実施の形態に係るスピーカシステム３は、第１の実施の形態に係るスピーカシステム１と異なり、外部エンクロージャ４００内部にダクトが配置されていない。そして、このため、外部エンクロージャ４００の図における左右両端部に、ダクト音開口が別個に設けられておらず、スピーカユニット音開口５１１のみが形成されている。
また、内部エンクロージャ５００ａ等には、円形の内部エンクロージャ開口５２２が例えば２個形成されている。
なお、本実施の形態では、内部エンクロージャ開口５２２は、２個設けられているが、本発明は、これに限らず、内部エンクロージャ開口を５２２を１個又は３個以上の複数個設けても構わない。
さらに、内部エンクロージャ５００ａ等と外部エンクロージャ４００とは、ほぼ相似形を成し、同心円状に配置されている。
そして、この内部エンクロージャ５００ａ等と外部エンクロージャ４００との間には、図８等に示すように、円柱状のウレタンフォーム等から成る緩衝材５３０が複数、例えば８本配置されている。
上述の実施の形態では、この緩衝材５００がないため、予め定まった大きさの内部エンクロージャを外部エンクロージャに対して固定する必要があり、この場合、内部エンクロージャの長さを変え、音の感覚を変化させることが困難であった。この点、本実施の形態では、この緩衝材５００を配置することで、内部エンクロージャ５００の長さを容易に変えることができ、外部エンクロージャ４００と内部エンクロージャ５００ａとの長さの比率を容易に調整することができる。したがって、スピーカシステム３の音の感覚の変化を容易に出すことができる構成となっている。
【００３３】
（第４の実施の形態）
図９（ａ）は、本発明の第４の実施の形態に係るスピーカシステム４を示す概略図であり、（ｂ）は、（ａ）の概略断面図である。
本実施の形態に係るスピーカシステム４の多くの構成は、上述の第１の実施の形態に係るスピーカシステム１の構成と同様であるため、同様の構成は同一符号等として説明を省略し、以下、相違点を中心に説明する。
本実施の形態では、第１の実施の形態に係るスピーカシステム１等と異なり、外部エンクロージャ６００内に配置される内部エンクロージャ７００に複数、例えば５個のスピーカユニット２１が配置されている。また、この５個のスピーカユニット２１の位置に対応して、外部エンクロージャ６００には、５個のスピーカユニット音開口６１１が図９に示すように配置されている。
また、この５個のスピーカユニット２１の背面側からの音は、図示しない内部エンクロージャ開口を介して外部エンクロージャ６００内部に導出され、音圧が高められてスピーカユニット音開口６１１から外部に発せられる構成となっている。
【００３４】
このため、例えば、５個のスピーカユニット２１をそれぞれ、センタースピーカ、フロントＲスピーカ、フロントＬスピーカ、２個のサラウンドスピーカとして機能させることで、一つの外部エンクロージャ６００でホームシアターを構築することができる。
つまり、従来は、５個のスピーカを別個に室内等に配置して構築していたが、本発明によれば、単一の筐体（外部エンクロージャ６００）により構築できるので、使い勝ってのよいホームシアターとなり得るスピーカシステム１となる。
【００３５】
（第５の実施の形態）
図１０は、上述のスピーカシステム１、２、３、４をテレビ５に適用した状態を示す概略斜視図である。
本実施の形態に係るテレビ５に適用されるスピーカシステム１、２、３、４は、上述のスピーカシステム１等と同様であるため、同一符号等として説明を省略し、以下、相違点を中心に説明する。
上述のスピーカシステム１等は、図１０（ａ）に示すように、テレビ画面５ａの下方に横長に配置することができる。この場合は、利用者がテレビ４の音を臨場感に富んだ状態で聞くことができる。
【００３６】
また、スピーカシステム１等を２個用いて、図１０（ｂ）のように、テレビ画面５ａの両側に配置してもよい。
【００３７】
なお、本発明は、上述の実施の形態に限定されない。
【図面の簡単な説明】
【００３８】
【図１】本発明の実施の形態にかかるスピーカシステムを示す概略斜視図である。
【図２】図１のスピーカシステムの部分概略断面図である。
【図３】図１のスピーカシステムの概略断面図である。
【図４】本発明の第２の実施の形態に係るスピーカシステムを示す概略図である。
【図５】本発明の第２の実施の形態に係るスピーカシステム２の概略断面図である。
【図６】本発明の第３の実施の形態に係るスピーカシステム３を示す概略図である。
【図７】本発明の第３の実施の形態に係るスピーカシステム３の概略断面図である。
【図８】図７の内部エンクロージャ開口を示す概略部分端面図である。
【図９】（ａ）は、本発明の第４の実施の形態に係るスピーカシステムを示す概略図であり、（ｂ）は、（ａ）の概略断面図である。
【図１０】スピーカシステムをテレビに適用した状態を示す概略斜視図である。
【符号の説明】
【００３９】
１・・・スピーカシステム、５・・・テレビ、５ａ・・・テレビ画面、１０・・・外部エンクロージャ、１１・・・外部バッフル板、１１ａ・・・スピーカユニット音開口、１１ｂ・・・ダクト音開口、２０ａ・・・内部エンクロージャ、２１・・・スピーカユニット、２２・・・内部エンクロージャ開口、２３・・・バッフル板、２４・・・心棒、２７・・・内部エンクロージャクッション材、２８・・・インナーパネル孔、３０・・・ダクト、３１・・・センターパネル、５３０・・・緩衝材
【図１】
2008167045.tif 000003
【図２】
2008167045.tif 000004
【図３】
2008167045.tif 000005
【図４】
2008167045.tif 000006
【図５】
2008167045.tif 000007
【図６】
2008167045.tif 000008
【図７】
2008167045.tif 000009
【図８】
2008167045.tif 000010
【図９】
2008167045.tif 000011
【図１０】
2008167045.tif 000012